(57)【要約】着用者の発達段階に対応する一連のデザインを有する使い捨て吸収性物品形体の配列が提供される。販売システムは、吸収性物品形体と特定の着用者の発達段階とを適切に合わせることにより、消費者が吸収性物品形体を選択するのを容易にする。このシステムは、消費者が特定の着用者用の適切な吸収性物品形体を選択するのを可能にする、着用者の対応する発達段階に適合した吸収性物品形体の絵で表した表示であるしるしを含む。
2005501975.tif 000002
【特許請求の範囲】
【請求項１】
発達の種々の段階で着用者に適合するように設計された使い捨て吸収性物品形体の配列であって、
第一吸収性物品形体、着用者の発達の第一段階に対応するように設計されたシャーシを含む第一吸収性物品形体と、
第二吸収性物品形体、着用者の発達の第二段階に対応するように設計されたシャーシを含む第二吸収性物品形体と、
第三吸収性物品形体、着用者の発達の第三段階に対応するように設計されたシャーシを含む第三吸収性物品形体と
を含んでなる配列。
【請求項２】
前記着用者の発達の第一段階が、動き回る以前の時期を含んでなり、その段階において前記着用者は新生児及び動かない幼児を含む、請求項１に記載の使い捨て吸収性物品形体の配列。
【請求項３】
前記着用者の発達の第二段階が、這う時期を含んでなり、その段階に前記着用者が勢いよく進むこと、ころがること、及び這うことができる、請求項１に記載の使い捨て吸収性物品形体の配列。
【請求項４】
前記着用者の発達の第三段階が、歩く時期を含んでなり、その段階に前記着用者が立つこと、歩くこと、及び走り始めることができる、請求項１に記載の使い捨て吸収性物品形体の配列。
【請求項５】
着用者の発達の第四段階に対応するように設計されたシャーシを含む第四吸収性物品形体を更に含んでなる、請求項１に記載の使い捨て吸収性物品形体の配列。
【請求項６】
前記発達の第四段階が学習する時期を含んでなり、その段階に前記着用者が服を着ることができるようになる、請求項５に記載の使い捨て吸収性物品形体の配列。
【請求項７】
着用者の発達の第五段階に対応するように設計されたシャーシを含む第五吸収性物品形体を更に含んでなる、請求項６に記載の使い捨て吸収性物品形体の配列。
【請求項８】
前記発達の第五段階が、しつけの時期を含んでなり、その段階において前記着用者が排泄のしつけ中である、請求項７に記載の使い捨て吸収性物品形体の配列。
【請求項９】
吸収性物品用販売ディスプレーシステムであって、
第一吸収性物品形体、着用者の発達の第一段階に対応するように設計されたシャーシを含む第一吸収性物品形体と、
第二吸収性物品形体、着用者の発達の第二段階に対応するように設計されたシャーシを含む第二吸収性物品形体と、
前記第一吸収性物品形体及び前記第二吸収性物品形体を発達の第一及び第二の各段階と関連付け、該関連付けが、消費者が着用者用の適切な吸収性物品形体を特定するのを可能にする絵で表した表示であるしるしと
を含む販売ディスプレーシステム。
【請求項１０】
前記しるしが、前記着用者の発達の第一段階を表す第一着用者に適合する前記第一吸収性物品形体及び前記着用者の発達の第二段階を表す第二着用者に適合する前記第二吸収性物品形体を表すディスプレーパネル上に配置される、請求項９に記載の販売ディスプレーシステム。
【発明の詳細な説明】
【０００１】
（発明の分野）
本発明は、使い捨て吸収性物品形体の配列、並びに特定の着用者用の使い捨て吸収性物品形体を識別するためのシステム及び装置に関する。
【０００２】
（発明の背景）
おむつ及び月経用品のような使い捨て吸収性物品は、体と衣服の汚れを防ぐために体外排泄物を吸収して封じ込めるように設計されている。使い捨て吸収性物品は一般に、新生児から活動的な幼児に及ぶ様々な着用者に適合する種々の寸法で入手可能な単一のデザインを含んでなる。おむつのデザインは、一般に、体外排泄物を吸収して封じ込める能力のような性能に影響を及ぼす。おむつの寸法、例えば、おむつのウエスト開口部の寸法、大腿部周囲の開口部の寸法、及びおむつの長さ又は「ピッチ」は、一般に、適合性に影響を及ぼす。
【０００３】
一つのデザインを全てのアプローチに適合させることに伴う問題は、単一形体が、全てのレベルの活動と能力に適切でない場合があることである。例えば、新生児や動かない乳児の世話をする人は、着用者を包んで着用者の肌にやさしい、ソフトではあるが嵩高なデザインを希望することがある一方、乳児が一旦活動的に動くようになると、着用者がより自由に動けるように、体線にきちんと適合するデザインを有することがより望ましい場合がある。幼児が成長して独力の活動がより一層可能になるにつれ、他のデザインが希望されることもある。例えば、プルオンおむつのデザインが、服を着ることができるようになった幼児に有益であることもある。同様に、体外排泄物の排出が発生した時に着用者に気付かせると同時に、着用者の衣服に必要な保護を提供するしつけおむつのデザインは、排泄のしつけ段階の幼児にとって魅力的であり得る。これらの特性の各々を示す単一の製品形体を設計することは困難である。従って、特定の着用者の能力及び／又は活動レベルに合う様々な使い捨ておむつのデザインが必要である。
【０００４】
乳児又は幼児の能力及び／若しくは活動レベルに合う様々なおむつのデザインを提供することは、消費者の必要を満たす可能性があるが、乳児及び幼児の身体的寸法は発達を通じて変化する。その結果、種々の製品デザインが同一寸法で入手可能であることが好ましい。例えば、這う幼児用に設計された使い捨ておむつは、歩く幼児用に設計された形体及び／又は服を着ることができるようになった幼児用に設計された形体と同一寸法で入手可能であってもよい。販売システムは、一般に、寸法番号によって使い捨ておむつをディスプレー及び配置する。従って、そのような様々な使い捨ておむつ形体の類を見ない導入は、特定の着用者用の正しい形体を選択する際、消費者に混乱を与える可能性がある。従って、世話をする人が特定の着用者の必要に合うデザインを様々な形体から選択するのを可能にし得る販売システムへの必要性もある。特に、世話をする人が特定の着用者の発達段階用に設計された吸収性物品形体を特定するのを可能にする販売システムへの必要性がある。
【０００５】
（発明の概要）
本発明の一実施形態により、着用者の発達段階に対応する一連のデザインを含んでなる使い捨て吸収性物品形体の配列を提供する。使い捨ておむつについて、使い捨て吸収性物品形体の配列は、新生児及び動かない乳児用に設計されたシャーシを有する第一吸収性物品形体、這う段階の動く幼児用に設計されたシャーシを有する第二吸収性物品形体、歩く幼児用に設計されたシャーシを有する第三吸収性物品形体、及び本発明の発明の詳細な説明において後に更に検討される他の吸収性物品形体を含んでなってもよい。
【０００６】
本発明はまた、吸収性物品の形体と特定の着用者の発達段階とを適切に合わせることによって、消費者が吸収性物品形体を選択するのを容易にする販売システムにも関する。このシステムは、着用者の対応する発達段階に適合する吸収性物品形体の絵で表した表示であるしるしを含む。消費者は、しるしを見ることにより特定の着用者に合う適切な吸収性物品形体を選択し得る。しるしは、吸収性物品形体が販売用にディスプレーされる店舗の棚の上のディスプレーパネルに提供されてもよい。しるしは、吸収性物品形体用包装に配置されてもよい。
【０００７】
本発明は、特定の形体と着用者の発達段階とを合わせることによって、吸収性物品形体を選択するための装置も提供する。装置は、静止部品と可動部品を含んでなってもよい。静止部品は、その上に配置される、少なくとも二つの第一着用者の特徴のタイプを含む第一着用者特徴を有する。可動部品は、その上に配置される、少なくとも二つの第二着用者の特徴のタイプを含む第二着用者特徴を有する。第一着用者の特徴は着用者の体重を含んでよく、第二着用者の特徴は着用者の発達段階を含んでよい。特定の着用者に対して二つの部品の着用者特徴を合わせるために可動部品を静止部品に対して動かすことにより、消費者は着用者用の適切な吸収性物品形体を選択し得る。
【０００８】
寸法の範囲及び様々なデザインを有する使い捨ておむつ並びに他の吸収性物品に関して、前記システム及び装置は使用され得る。
【０００９】
（発明の詳細な説明）
本発明は、着用者の発達段階に対応する一連のデザインを含んでなる使い捨て吸収性物品形体の配列、及び着用者の発達段階に合う吸収性物品の形体を特定するための販売システムに関する。例えば、配列は、新生児と動かない乳児用に設計された第一吸収性物品形体、這う段階の幼児用に設計された第二吸収性物品形体、及び／又は以下で検討される次の発達段階用に設計された他の吸収性物品形体を含んでもよい。販売システムは、一般に、発達の各段階の着用者に合った吸収性物品形体を絵で表した表示であるしるしを含んでおり、絵は消費者が特定の着用者の発達段階に合う適切な形体を特定するのを可能にする。当該システムは、重なり合う寸法範囲で入手可能である多数の吸収性物品形体を販売するのに特に有用である。
【００１０】
本明細書で使用する用語「吸収性物品」とは、排泄物を吸収して封じ込めるように設計される装置を指し、より詳細には、体から排出される様々な排泄物を吸収して封じ込めるために、着用者の体内に、体に対して、又は体に接近して配置される装置を指す。本明細書で使用する用語「シャーシ」とは、おむつの主要構造体を指す。本明細書で使用する用語「発達段階」とは、感情と認識の成熟レベル、及び／又は移動、可動性、運動技術、及び調整を含む個人の身体能力を指す。本発明で使用する用語「おむつ」とは、一般に、乳児及び失禁者が使用する吸収性物品を指し、着用者の胴体下部周りに着用される。本明細書で使用する用語「シャーシ」とは、複合おむつ構造体を形成するために加えられる他の特徴を有するおむつの主要構造体を指す。用語「使い捨て」は、洗濯するか、さもなければ吸収性物品として修復するか又は再利用することを一般に意図しない吸収性物品を説明するために、本明細書において使用する（換言すれば、一回の使用後に捨てる、好ましくは環境に適合性のある方法で処理することを一般に意図している）。本明細書において、「寸法」を特定するための表示は、使い捨ておむつ又は他の吸収性物品の寸法の直接的又は間接的特定を含むために使用され、表示は、例えば、数字若しくは文字（例えば、「寸法３」若しくは「寸法Ａ」）、直接的記述（例えば、「小」若しくは「大」）、又はそれらのいずれかの組み合わせによりなされ、視覚的に、聴覚的に、若しくは別の方法で表現されるか、又は認識される。本明細書で使用する「しるし」とは、使用中の製品を説明する言葉及び／又は図形を含んでもよい特定するマークである。
【００１１】
吸収性物品の配列と本明細書で説明する販売システムは、多くの吸収性物品製品に適用可能であってもよい。例えば、女性用生理衣類は、着用者の活動レベル次第で様々なデザインで入手可能であってもよい。しかし、好ましい実施例は、様々な製品形体で入手可能である使い捨ておむつの分類を含み、各形体は、着用者の発達段階を示す、構造的違いを含んでなる識別可能な特徴を含む。発達段階は、新生児から、自立を求める活動的な幼児まで及んでもよい。例えば、発達の第一段階は、動き回る以前の時期に該当させてよく、母親と密着している段階の新生児、及び活動レベルが頭を上げる又は転がる程度までであるその他の動かない乳児を含んでもよい。発達の第二段階は、這う時期を含んでなる発見段階に該当させてよく、座るという成長行動、並びに勢いよく進む、転がる、及び這うという可動性を発達させる好奇心の強い幼児を含んでもよい。発達の第三段階は、歩く時期を含んでなる探検段階に該当させてよく、活動レベルが立つこと、歩くこと、及び走り始めることを含む幼児を含んでもよい。発達の第四段階は、学習する時期に該当させてよく、服を着ることのように自分自身で物事を行ったり、バランスを失うことなく歩いたり走ったりすることを可能にする協調運動を発達させることができる幼児を含んでもよい。発達の第五段階は、しつけ段階に該当させてよく、排泄のしつけ中である、自立を達成するよう試みる、及び全体として、赤ちゃんから子供への推移を経験する幼児を含んでもよい。他の段階も考えられる。
【００１２】
前記の発達段階の各々、又はいずれかについて、別個の吸収性物品形体が提供され得る。例えば、発達の第一段階について、吸収性物品形体は、毛布のように着用者を包むように設計されたシャーシを含んでなってもよく、毛布のような感触を含んでもよい。この形体はまた、臍の緒のくぼみのような特別な構造的特徴、並びにパステルカラー及びバック・トゥ・スリープ・ロゴを含む図形のような装飾的な特徴も含んでもよい。発達の第二段階について、第二吸収性物品形体は、より多くの自由な動きを可能にするために着用者に優しく順応するように設計されたシャーシを含んでなってもよい。この第二形体について、シャーシは相対的に狭い股領域、拡張可能な高い後ろ領域、及び低い前領域を有する輪郭であってもよく、また鮮やかな色の図形を含んでもよい。第三吸収性物品形体は、立つ又は横たわる姿勢の幼児のオムツ換えを容易に苦心せず行えるように、可撓性ファスナーと高拡張側部を有するシャーシを含んでなってもよい。第四吸収性物品形体は、着用者が服を着ることができるようにするための、着脱可能な下着のように見えるよう更に設計されたプルオンシャーシを含んでなってもよい。発達の第五段階について、第五吸収性物品形体は、パンツの快適さ及びおむつの保護を提供するシャーシを含んでなってもよい一方、同時に着用者が湿りに伴う不快感を認識するのを可能にする湿り度インジケータを含んでもよい。
【００１３】
乳児及び幼児は、異なる速度で発達の段階を経験するので、各吸収性物品形体について多くの寸法が提供されてもよい。その結果、異なる吸収性物品形体が、重なり合う寸法範囲で入手可能になる。例えば、第一吸収性物品形体は、寸法１、寸法２、及び寸法３で入手可能であってもよい一方、第二吸収性物品形体は、寸法３、寸法４、及び寸法５で入手可能であってもよい。第三吸収性物品形体は、寸法３、寸法４、及び寸法５で入手可能であってもよい一方、第四吸収性物品は、寸法４、寸法５、及び寸法６などで入手可能であってもよい。
【００１４】
重なり合う寸法範囲は、消費者が特定の着用者の発達段階に合う正しい製品形体を選択するのを困難にする。この理由で、消費者が様々な形体からある吸収性物品を選択するのを容易にする販売システムが提供される。このシステムは、好ましくは、着用者の対応する発達段階に適合する吸収性物品形体を絵で表したしるしを含む。図１に示されるように、第一吸収性物品形体のしるし１０は、母親の腕であやされる幼児を表してもよい。同様に、第二吸収性物品形体のしるし１２は、幼児が這うことを表してもよい一方、第三形体のしるし１４は、着用者が立っている間に母親が吸収性物品を取り換えていることを表してもよい。第四吸収性物品形体のしるし１６は、着用者が服を着ることができるようになった時に、吸収性物品をパンツのように引っぱり上げていることを示してもよい。更に、第五吸収性物品形体のしるし１８は、幼児が排泄のしつけ中であることを示してもよい。
【００１５】
着用者の発達段階と、しるしによって表された発達段階とを合わせることにより、消費者は特定の着用者用の正しい製品形体を選択することができる。しるしは、吸収性物品形体が販売用にディスプレーされている店舗の棚の上に配置されたディスプレーパネルに提供されてもよい。あるいは、しるしは、種々の吸収性物品形体用パッケージに、又は大衆に広められる広告に配置されてもよい。
【００１６】
販売システムは、各製品形体と製品が設計の目的となる特定の発達段階とを関連付ける種々の製品名も含んでよい。例えば、第一吸収性物品形体の名前は、スワドラー（Ｓｗａｄｄｌｅｒ）２０であり得る一方、第二、第三、第四、及び第五製品形体の名前は各々、クルーザー（Ｃｒｕｉｓｅｒ）２２、チェンジアンドゴー（Ｃｈａｎｇｅ ＆ Ｇｏ）２４、イージーアップ（Ｅａｓｙ Ｕｐ）２６、及びトレインミーパンツ（Ｔｒａｉｎ−Ｍｅ Ｐａｎｔｓ）２８であり得る。挙げられた製品名の各々は、プロクター・アンド・ギャンブル社（Ｐｒｏｃｔｅｒ ａｎｄ Ｇａｍｂｌｅ Ｃｏｍｐａｎｙ）により製造された製品の商標名である。
【００１７】
使用中の吸収性物品形体を表すしるしと種々の製品名を提供することに加えて、様々な吸収性物品形体が消費者の選択を容易にする配置で店舗の棚にディスプレーされてもよい。例えば、吸収性物品形体は、発達段階による第一の連続する順序と、寸法による第二の連続する順序で配置されてもよい。この配置について、ディスプレーされる最初の物品は第一吸収性物品形体であり、第二、第三、第四、及び第五吸収性物品形体が第一の方向に連続的に続く。第一、第二、第三、第四、及び第五形体がその後、第二の連続する順序で利用可能な寸法に従って配置される。例えば、図２ａに示されるように、第一の連続する順序は、ディスプレーの最も低い棚にディスプレーされた第一形体、及び最も高い棚にディスプレーされた第五形体に垂直であってもよいし、又は逆も同様である。この配置について、吸収性物品形体の各々の寸法は、左から右に進んで寸法が大きくなる第二の連続する順序で水平に配置される。図２ｂに示される代替実施例では、寸法は、消費者の選択方法を更に容易にするために縦列形式で配置される。任意選択的に、図３ａに示されるように、第一の連続する順序は、所定の棚で左から右に進んで、第一、第二、第三、第四、及び第五形体がディスプレーされた所定の棚を横切って水平であってもよい。この配置では、各吸収性物品形体の寸法は、各棚が異なる寸法を載せている第二連続する順序で垂直に配置される。図３ｂに示される代替実施例では、種々の製品形体をより良好に識別するために、ディスプレーの各棚が異なる寸法を載せるように、寸法が配置される。図３ａと図３ｂに示される配置は、上向きに大きくなる寸法を描いているが、下向きに寸法が大きくなる逆の配置が考察される。
【００１８】
消費者が特定の着用者用の正しい製品形体を選択するのを助けるために、選択装置が店舗に配備されてもよい。例えば、選択装置は、特定の形体と着用者の発達段階とを合わせることにより吸収性物品形体を特定するための機械的装置を含んでなってもよい。そのような装置は、静止部分及び可動部分を含んでなってもよい。静止部分は、その上に配置される、少なくとも二つの第一着用者の特徴のタイプを含む第一着用者特徴を有する。可動部分は、その上に配置される、少なくとも二つの第二着用者の特徴のタイプを含む第二着用者特徴を有する。第一着用者の特徴は、着用者の体重を含んでもよく、第二の着用者の特徴は、着用者の発達段階を含んでもよい。消費者は、装置上の特徴と特定の着用者の特徴とを合わせるために、可動成分を静止部分に対して動かすことにより着用者用の適切な吸収性物品形体を選択してもよい。
【００１９】
機械タイプの選択装置の実施例には、スライド、回転ダイヤル、及び回転シリンダが挙げられる。回転シリンダタイプの選択装置１００は、図４ａに図解されている。図示されるように、装置はハウジング１２０に封じ込められ、回転可能に支持されるシリンダ１１０を含む。図４ｂに示されるシリンダ１１０は、長さに沿ってセグメント（区分）に分けられ、第一セグメント１１２ａでシリンダの周囲に周囲方向に配置される一連の体重範囲、及び続くセグメント１１２ａ〜１１２ｆでシリンダの周囲に周囲方向に配置される各吸収性物品形体用の利用可能な寸法を含む。シリンダ１１０の第一セグメント１１２ａに提供される各体重範囲について、対応する寸法番号が、所定の吸収性物品形体について利用可能である場合、続くセグメントでそれと一列に配置される。シリンダ１１０はまた、シリンダ１１０を回転させるためのノブ１１４も含む。図４ｃに示されるハウジング１２０はまた、シリンダのセグメントに対応する長さに沿うセグメントにも分割される。ハウジングセグメントの各々は、シリンダセグメントを露出する窓１２２ａ〜１２２ｆ、及び着用者の発達段階に対応する製品形体を表す、窓の上に配置されるしるし１２４ａ〜１２４ｅを含む。ハウジング１２０は、シリンダノブ１１４を露出する溝１２４も含む。操作では、消費者は、特定の着用者に合う体重範囲までノブ１１４を回転させる。所定の体重範囲について、利用可能な寸法がある場合は、ハウジングの各セグメントの窓１２４ａ〜１２４ｆに現れる。窓１２４ａ〜１２４ｆの上に配置されるしるしから、消費者は、特定の着用者用の正しい寸法と適切な製品形体を選択することができる。
【００２０】
対象の潜在的着用者の特徴に関する情報を、人が能動的に「ダイヤルする」ことを可能にし、その後、その着用者に適切に適合する寸法及び吸収性物品形体を特定したり、又はその人に特定させたりする、ダイヤルのような他の機械的装置が使用され得る。図５ａは、本発明を具体化する、使い捨ておむつ用の双方向機械ダイヤル式選択装置の例を図解している。ダイヤル式選択装置２００は、ベースホイール２１０、中間ホイール２２０、及びトップホイール２３０を含んでなる。これらのホイールは、心棒２０５により結合され、心棒２０５は、好ましくはホイールが心棒から滑り落ちないようにするために、広がった部分又はキャップを各末端部に有する。中間ホイール２２０とトップホイール２３０は共に、ベースホイール２１０に関して、また互いに関して心棒２０５の周囲を回転し得る。図５ｂに示されるように、ベースホイール２１０は、放射状に中心を離れた部分２１１の周辺の周囲に体重の値を付けた、放射状に外向きの部分２１１を有する。図５ｂに示されるように、ベースホイール２１０は、螺旋形の一連の種々の色の（さもなければ識別された）セグメント２１６ａ〜２１６ｅを付けた、放射状に内向きの部分２１２も有する。種々の色は、図５ａに関して、本明細書において後で検討される種々のおむつ形体に対応している。図５ｃは、発達段階２２５を付けた放射状に外向きの部分２２２と、ベースホイール２１０上の種々の色のセグメントの一部分と重なり合うように設計された螺旋形の切り取られたセグメント又は開口部２２６ａ〜２２６ｅを有する放射状に内向きの部分２２４とを有する中間ホイール２２０を示している。中間ホイール２２０は、指示器２２８も有する。図５ａに示されるように、トップホイール２３０は、五つのセグメント２３４ａ〜２３４ｅを有するおむつ形体キー２３２を示すラベルが付けられ、各セグメントは異なる吸収性物品形体に対応している。おむつ形体キー２３２におけるそのようなセグメント２３４ａ〜２３４ｅの各々は、異なる色を有し、各色は、ベースホイール２１０上の異なる色のセグメント２１６ａ〜２１６ｅの各色と一致している。トップホイール２３０は指示器２３６、及び中間ホイール２２０の切り取られたセグメント２２６ａ〜２２６ｅに重なり合うように設計された楔形の切り取り部分又は開口部２３８も有する。同一の又は類似の情報を提供する他の形体が可能である。
【００２１】
再度、図５ａを参照すると、消費者又は他の世話人のようなユーザは、指示器２２８を動かしてベースホイール２１０上の適切な体重値を示すために、中間ホイール２２０を回転させることによって潜在的な着用者の体重の値にダイヤルを合わせ得る。指示器２３６を動かして中間ホイール２２０上の適切な発達段階２２５を示すために、ユーザは、トップホイール２３０を回転させることにより潜在的な着用者の発達段階の値にダイヤルを合わせることもできる。着用者の発達段階と着用者の体重値との組み合わせにダイヤルが一旦合わせられると、ベースホイール２１０からのセグメント２１６ａ〜２１６ｅの一つが、中間ホイール２２０の切り取られたセグメント又は開口部２２６を通して、またトップホイール２３０の楔形の切り取り部分又は開口部２３８を通して見える（図５ａで図解される例では、見えるセグメントは色付きセグメント２１６ｃと一致する）。ユーザはその後、色付きセグメント２１６ａ〜２１６ｅのうちの見えるものをおむつ形体キー２３２上の色２３４ａ〜２３４ｅの一つに結び付けるか又は合わせることができ、ユーザがダイヤルを合わせた体重と発達段階との組み合わせを有する着用者に適切であると予測された形体及び寸法を特定する（図５ａに図解される例では、おむつ形体はクルーザー（Ｃｒｕｉｓｅｒ））。本発明のこの実施形態の開示から当業者には明白となるように、適切なおむつ形体又は他の吸収性物品形体を同様のやり方で特定するために、計算尺式装置のような他の機械的装置をダイヤルの代わりに使用し得る。
【００２２】
一つ以上のコンピューター、手で保持する装置、スキャナーなどを含む双方向装置も、多数の形体が含まれる使い捨て吸収性物品用選択装置として利用し得る。そのような装置は、消費者又は世話人のような人を促して、対象の潜在的な着用者の適切な特徴に関する質問への答を積極的に入力させ、答の記録を保持し、これらの答えに基づくその着用者に適切な使い捨ておむつの形体若しくは他の物品を特定したり、又は人に特定させたりする出力情報を提供し得る。そのような「積極的な双方向」装置は、双方向店内ディスプレーの一部として、ワールドワイドウェブの双方向サイトの一部として、又は双方向メニュー駆動電話システムの一部として採用し得る。形体特定情報は、特定の形体を特定する数字、シンボル、若しくは他のしるしの形状で視覚的に提供若しくは出力され得るか、又は双方向電話システムからのメッセージを通してといった聴覚的に提供若しくは出力され得る。
【００２３】
本発明の特定の実施形態及び／又は特徴が説明されているが、本発明の趣旨と範囲から逸脱することなく様々な変更及び変形が可能であることは、（本明細書の記載を読んだ当業者にとっては当然のことながら明白である。更に、このような実施形態及び／又は特徴の全ての組み合わせが可能であること、及びこれにより本発明を好ましく実施できることも明らかである。従って、記載された請求項において、本発明の趣旨と範囲内にある全てのそのような変更及び変形を含むことを意図するものである。
【図面の簡単な説明】
本明細書は、本発明を形成するとみなす主題を特に指摘して明確に請求する請求項をもって完結するが、本発明は添付図面と関連させた次の説明で更に充分に理解されると考えられる。
【図１】着用者の対応する発達段階に適合する吸収性物品形体の絵で表した表示であるしるしを図解している。
【図２ａ】各棚が異なる発達段階を載せている垂直の配置を有する、着用者の発達段階に合うように設計されたシャーシを有する、吸収性物品形体の店舗ディスプレーを図解している。
【図２ｂ】寸法による縦列で第二の順序で配置された吸収性物品形体を有する、図２ａに示された配置を図解している。
【図３ａ】発達の種々の段階が縦列に配置されている水平な配置を含んでなる、着用者の発達段階に合うように設計されたシャーシを有する、吸収性物品形体の店舗ディスプレーを図解している。
【図３ｂ】寸法による横列で第二の順序で配置された吸収性物品形体を有する、図３ａに示された配置を図解している。
【図４ａ】特定の着用者の発達段階に合う適切な吸収性物品形体を消費者が選択するのを容易にするために使用される、回転シリンダ式選択装置を図解している。
【図４ｂ】図４ａに図解された回転シリンダ式選択装置の回転シリンダ部分を図解している。
【図４ｃ】図４ａに図解された回転シリンダ式選択装置のハウジング部分を図解している。
【図５ａ】特定の着用者の発達段階に合う適切な吸収性物品形体を消費者が選択するのを容易にするために使用される、本発明による双方向ダイヤル式選択装置を図解している。
【図５ｂ】図５ａに図解されたダイヤル式選択装置のベースホイール部分を図解している。
【図５ｃ】図５ａに図解されたダイヤル式選択装置の中間ホイール部分を図解している。
【図１】
2005501975.tif 000003
【図２ａ】
2005501975.tif 000004
【図２ｂ】
2005501975.tif 000005
【図３ａ】
2005501975.tif 000006
【図３ｂ】
2005501975.tif 000007
【図４ａ】
2005501975.tif 000008
【図４ｂ】
2005501975.tif 000009
【図４ｃ】
2005501975.tif 000010
【図５ａ】
2005501975.tif 000011
【図５ｂ】
2005501975.tif 000012
【図５ｃ】
2005501975.tif 000013
【国際公開パンフレット】
2005501975.tif 000014
2005501975.tif 000015
2005501975.tif 000016
2005501975.tif 000017
2005501975.tif 000018
2005501975.tif 000019
2005501975.tif 000020
2005501975.tif 000021
2005501975.tif 000022
2005501975.tif 000023
2005501975.tif 000024
2005501975.tif 000025
2005501975.tif 000026
2005501975.tif 000027
2005501975.tif 000028
2005501975.tif 000029
2005501975.tif 000030
2005501975.tif 000031
2005501975.tif 000032
2005501975.tif 000033
2005501975.tif 000034
2005501975.tif 000035
2005501975.tif 000036
【国際公開パンフレット（コレクトバージョン）】
2005501975.tif 000037
2005501975.tif 000038
【国際調査報告】
2005501975.tif 000039
2005501975.tif 000040